(57)【特許請求の範囲】
【請求項１】
保冷のためのクーラーボックスであって、
箱型の容体部と、
前記容体部の上部に開閉可能に設けられた蓋部と、
前記容体部の下面に取り付けられた第１脚部と、
前記容体部の少なくとも一側面に取り付けられた複数の第２脚部と、
を備え、
複数の前記第２脚部は、前記側面において上下方向および左右方向に間隔を空けて配置されている、
クーラーボックス。
【請求項２】
保冷のためのクーラーボックスであって、
箱型の容体部と、
前記容体部の上部に開閉可能に設けられた蓋部と、
前記容体部の下面に取り付けられた第１脚部と、
前記容体部の少なくとも一側面に取り付けられた第２脚部と、
を備え、
前記第２脚部は、前記側面の中央部に配置されている、
クーラーボックス。
【請求項３】
保冷のためのクーラーボックスであって、
箱型の容体部と、
前記容体部の上部に開閉可能に設けられた蓋部と、
前記容体部の下面に取り付けられた第１脚部と、
前記容体部の少なくとも一側面に取り付けられた複数の第２脚部と、
を備え、
複数の前記第２脚部は、それぞれ上下方向に長い形状を有し、前記側面において左右方向に間隔を空けて配置されている、
クーラーボックス。
【請求項４】
前記第２脚部が取り付けられる前記一側面は、前記容体部の側面のうちの面積の小さい側の側面である、請求項１から３のいずれかに記載のクーラーボックス。
【請求項５】
前記第１脚部は２箇所以上設けられている、請求項１から４のいずれかに記載のクーラーボックス。
【請求項６】
前記蓋部は、前記容体部の一部分を覆い前記第２脚部が取り付けられる前記一側面の上部に揺動自在に取り付けられた第１蓋部と、前記容体部の前記第１蓋部に覆われない部分を覆い前記一側面と対向する側面の上部に揺動自在に取り付けられた第２蓋部とを有している、請求項１から５のいずれかに記載のクーラーボックス。
【請求項７】
前記側面の上部には、肩掛け用のベルトが挿通されるベルトホルダーが設けられており、
前記第２脚部は、前記ベルトホルダーの突出高さよりも高く形成されている、請求項１から６のいずれかに記載のクーラーボックス。
【発明の詳細な説明】
【０００１】
【発明の属する技術分野】
本発明は、魚等を収納し、保冷するクーラーボックスに関する。
【０００２】
【従来の技術】
従来のクーラーボックスは、箱形で横長の容体部と、容体部上部に蝶番等によって開閉可能に設けられた蓋部と、容体部の下面に設けられた脚部とを有している。この容体部及び蓋部は内部にポリウレタン等の断熱材が充填されている。
【０００３】
このクーラーボックスは、氷や保冷剤と共に魚等を容体部内に入れて使用される。この際、本体部及び蓋部が有する断熱効果により、内部の温度を低く保つことができ、内部に収納した魚等が保冷される。
【０００４】
【発明が解決しようとする課題】
従来のクーラーボックスの脚部は容体部の下面に形成されており、クーラーボックスを置いた際に容体部の下面の損傷を防止することを主な目的としている。しかし、クーラーボックスは容体部の下面のみでなく側面を損傷してしまうおそれも多く、これらの箇所の保護も必要である。
【０００５】
また、クーラーボックスを保管するときは、横置き、すなわち容体部の横長の下面を下にして置くため、保管のための多大なスペースを要する。
【０００６】
本発明の課題は、容体部の損傷を防止しつつ、省スペースで保管可能なクーラーボックスを提供することにある。
【０００７】
【課題を解決するための手段】
発明１に係るクーラーボックスは、保冷のためのクーラーボックスであって、箱型の容体部と、容体部の上部に開閉可能に設けられた蓋部と、容体部の下面に取り付けられた第１脚部と、容体部の少なくとも一側面に取り付けられた複数の第２脚部とを備えている。複数の第２脚部は、側面において上下方向および左右方向に間隔を空けて配置されている。
【０００８】
このクーラーボックスでは、容体部の側面に設けられた第２脚部により、下面だけでなく側面の損傷を防止することができる。またこのクーラーボックスを保管するときは、第２脚部の取り付けられた側面を下にする、いわゆる縦置きが可能である。この場合は、一般に容体部の側面は下面より面積が小さいので、省スペースで保管できる。
【０００９】
発明２に係るクーラーボックスは、保冷のためのクーラーボックスであって、箱型の容体部と、容体部の上部に開閉可能に設けられた蓋部と、容体部の下面に取り付けられた第１脚部と、容体部の少なくとも一側面に取り付けられた第２脚部とを備えている。第２脚部は、側面の中央部に配置されている。
【００１０】
発明３に係るクーラーボックスは、保冷のためのクーラーボックスであって、箱型の容体部と、容体部の上部に開閉可能に設けられた蓋部と、容体部の下面に取り付けられた第１脚部と、容体部の少なくとも一側面に取り付けられた複数の第２脚部とを備えている。複数の第２脚部は、それぞれ上下方向に長い形状を有し、側面において左右方向に間隔を空けて配置されている。
【００１１】
発明４に係るクーラーボックスは、発明１から発明３のいずれかのクーラーボックスにおいて、第２脚部が取り付けられる一側面は、容体部の側面のうちの面積の小さい側の側面である。
【００１２】
この場合、たとえば、大小２種の側面のうちの小さい面積を有する一側面に第２脚部を設けることにより、この一側面を下にして縦置きした場合は、さらに省スペースで保管できる。
【００１３】
発明５に係るクーラーボックスは、発明１から発明４のいずれかのクーラーボックスにおいて、第１脚部は２箇所以上設けられている。
【００１４】
この場合、第１脚部及び第２脚部をそれぞれ２箇所以上設けて容体部を支持することにより、クーラーボックスを安定した状態で置くことができる。
【００１５】
発明６に係るクーラーボックスは、発明１から５のいずれかのクーラーボックスにおいて、蓋部は、容体部の一部分を覆い第２脚部が取り付けられる一側面の上部に揺動自在に取り付けられた第１蓋部と、容体部の第１蓋部に覆われない部分を覆い一側面と対向する側面の上部に揺動自在に取り付けられた第２蓋部とを有している。
【００１６】
この場合、たとえば縦置きした状態でも、第１蓋部又は第２蓋部を開閉することができる。
【００１７】
発明７に係るクーラーボックスは、発明１から６のいずれかのクーラーボックスにおいて、側面の上部には、肩掛け用のベルトが挿通されるベルトホルダーが設けられており、第２脚部は、ベルトホルダーの突出高さよりも高く形成されている。
【００１８】
【発明の実施の形態】
〔第１実施形態〕
本発明の第１実施形態を採用したクーラーボックスは、図１に示すように、箱形の容体部１と、図示しない蝶番によって開閉可能なように容体部１の上部に設けられている蓋部２と、蓋部２を容体部１に密閉し固定するフック３と、容体部１の底面１ａ及び左側面１ｂにそれぞれ取り付けられた第１脚部４ａ及び第２脚部４ｂと、容体部１の左側面１ｂ及び右側面１ｃ上部に設けられたベルトホルダー５とを有している。
【００１９】
フック３は容体部１及び蓋部２の双方に設けられたポリプロピレン又はナイロン６６製の部材である。フック３は別個形成された後に容体部１及び蓋部２に嵌め込み接着されて固定されている。また、ベルトホルダー５は、容体部１の左側面１ｂ及び右側面１ｃ上部に突出して設けられ、図示しない肩掛け用のベルトが挿通可能な貫通孔を有している。この貫通孔にベルトを挿通し、たとえばバックル等のベルト側の係止手段によりベルトとクーラーボックスとが係止される。
【００２０】
容体部１は、図１に示すように横長の箱状に形成され、左側面１ｂ及び右側面１ｃの面積が底面１ａの面積より小さくなっている。容体部１は、図１の破断部分に示すように、内殻体１１と外殻体１２とを有している。内殻体１１と外殻体１２との間は中空となっており、この中空には発砲ポリウレタン樹脂等の発泡樹脂等からなる断熱材１３が充填されている。内殻体１１は、ポリプロピレン等の合成樹脂からなる部材であって、内部に魚等を収納可能な略直方体の空室部１４を形成している。肉厚は全体にわたってほぼ等しく、上端部周縁にはフランジ（図示せず）が形成されている。一方、外殻体１２もポリプロピレン等の合成樹脂からなる部材であり、容体部１の外周面を形成している。上端部には内殻体のフランジに係合可能な係合部（図示せず）が形成されており、内側に内殻部１１をはめ込んだ状態で固定される。
【００２１】
第１脚部４ａ及び第２脚部４ｂは、図１から図３に示すように、それぞれが略矩形の板状部材であり、容体部１の底面１ａ及び左側面１ｂにそれぞれ４箇所ずつ所定の間隔をあけて取り付けられている。第１脚部４ａ及び第２脚部４ｂは、クーラーボックスを置いたときに滑りにくくするために、ゴム等の弾性部材により形成されている。なお、容体部１の左側面１ｂに設けられた第２脚部４ｂの高さは、図３に示すように、ベルトホルダー５の突出高さよりも高く形成されているため、容体部１の左側面１ｂを下にしたときでも第２脚部４ｂを確実に接地させることができる。
【００２２】
このように構成されたクーラーボックスでは、魚等を収納したりして通常使用する場合には、容体部１の底面１ａを下にして横置きにする。ここでは第１脚部４ａにより容体部１の損傷を防止するとともに、安定した状態で置くことができる。また、このクーラーボックスを保管するときは、容体部１の左側面１ｂを下にして縦置きにする。この場合も、第２脚部４ｂにより容体部１の損傷を防止できる。そして、容体部１の左側面１ｂの面積は、底面１ａの面積よりも小さいので、省スペースで保管できる。
【００２３】
〔第２実施形態〕
本発明の第２実施形態を採用したクーラーボックスは、図４に示すように、箱形の容体部１と、容体部１の上部に設けられている蓋部２と、容体部１の底面１ａ及び左側面１ｂにそれぞれ取り付けられた第１脚部４ａ及び第２脚部４ｂと、容体部１の左側面１ｂ及び右側面１ｃ上部に設けられたベルトホルダー５とを有している。
【００２４】
蓋部２は、容体部１の左側面１ｂの上部に揺動自在に設けられた第１蓋部２ａと、容体部１の右側面１ｃの上部に揺動自在に設けられた第２蓋部２ｂとを有している。ここでは第１蓋部２ａと第２蓋部２ｂとが対向する略中央部には第１蓋部２ａ及び第２蓋部２ｂを開閉するために凹んだ取手部が形成されている。また、第１蓋部２ａ及び第２蓋部２ｂを容体部１に密閉し固定するための図示しない固定手段を有している。なお、その他の構成は第１実施形態と同様であるので省略する。
【００２５】
この場合は、第１実施形態と同様に、第１脚部４ａ及び第２脚部４ｂにより容体部１を保護するとともに、クーラーボックスを保管するときに容体部１の左側面１ｂを下にして縦置きすることで、省スペース化を図ることができる。またここでは、クーラーボックスを縦置きしたとき、たとえば魚等を収納した状態で上側の第２蓋部２ｂを開閉することが可能である。
【００２６】
〔他の実施形態〕
（ａ）  前記実施形態では、第２脚部４ｂは容体部１の左側面１ｂに設けられていたが、右側面１ｃに第２脚部４ｂを設けてもよい。また各側面のうち前面や背面に第２脚部４ｂを設けてもよい。あるいは複数の側面に第２脚部４ｂを設けてもよい。
【００２７】
（ｂ）  前記実施形態では、第２脚部４ｂは４箇所に取り付けられていたが、これに限定されるものではない。たとえば、図５及び図６に示すように、中央部に１箇所、又は横長部材を２箇所取り付けてもよい。
【００２８】
（ｃ）  前記実施形態では、ベルトホルダー５を有するクーラーボックスを用いたが、たとえば水抜栓、ハンドル等を有するあらゆるタイプのクーラーボックスに本発明を適用できる。たとえば水抜栓がある側面に第２脚部４ｂを設ければ、この面を下にして置くことにより、効率よく水抜きすることができる。なお、第２脚部４ｂの高さは水抜栓、ハンドル等の突出高さより高くする必要がある。また、ベルトホルダー５等を突出しない形状に形成して、第２脚部４ｂの高さを低くすることができる。
【００２９】
【発明の効果】
本発明によれば、クーラーボックスの一側面に脚部を設けることにより、面積の小さい一側面を下にして置くことにより、省スペースで保管できる。
【図面の簡単な説明】
【図１】  本発明の第１実施形態を採用したクーラボックスの全体図。
【図２】  前記クーラーボックスの側面図。
【図３】  前記クーラーボックスの底面図。
【図４】  本発明の第２実施形態を採用したクーラーボックスの全体図。
【図５】  他の実施形態の図４に相当する図。
【図６】  さらに他の実施形態の図４に相当する図。
【符号の説明】
１  容体部
１ａ  左側面
１ｂ  底面
２  蓋部
２ａ  第１蓋部
２ｂ  第２蓋部
４ａ  第１脚部
４ｂ  第２脚部
【図１】
0004271788.tif 000002
【図２】
0004271788.tif 000003
【図３】
0004271788.tif 000004
【図４】
0004271788.tif 000005
【図５】
0004271788.tif 000006
【図６】
0004271788.tif 000007